(57)【要約】【課題】  トレイオープン動作を円滑確実に行なうこと。【解決手段】  トレイオープン時に、カムスライダ８をわずかの移動量だけスライドさせて該カムラック２０から延びるラック杆８ａに先端部に形成したカムラック２０の基端側歯部２０ａをピニオン２１に噛合させ、該ピニオン２１の回転によりカムスライダ８をさらにスライドさせ、トレイを前進させるようにしたディスク装置において、ラック杆８ａの先端部近傍からカムラック２０に沿って該ラック杆８ａの中央部まで延びる長孔２９ａと、該長孔２９ａからカムラック２０の基端側歯部２０ａに隣接してラック杆８ａの外周面まで該ラック杆８ａを横切って延びる連通路２９ｂとからなるＬ字状溝２９がラック杆８ａに形成されており、カムラック２０の基端側歯部２０ａをピニオン２１に噛合させる際に発生する押圧力Ｐで該カムラック２０を弾性変位させる。【選択図】        図１
2010277631.tif 000002
【特許請求の範囲】
【請求項１】
ディスク載置用トレイを前後進可能に支持するローダーシャーシが設けられ、ディスク
の半径方向に沿って移動可能な光ピックアップとターンテーブルとを搭載したトラバース
シャーシの後部がローダーシャーシに上下動可能に連結されると共に、該トラバースシャ
ーシの前部がカム機構を介してローダーシャーシの前部に前後進方向とは直交する左右方
向に沿ってスライド可能に配置したカムスライダに連動連結され、光ピックアップの移動
に連動して前後進される操作ピンを有し、該操作ピンに対向してカムスライダの下面に操
作溝が形成され、カムスライダの一端から延びるラック杆の先端部にカムラックが形成さ
れ、該カムラックに噛合可能なピニオンがローダーシャーシの前部に正逆回転可能に配置
されており、トレイオープン時に、光ピックアップの移動に連動して前進する操作ピンを
操作溝の傾斜状内面に押し付けて、カムスライダをわずかの移動量だけスライドさせてカ
ムラックの基端側歯部をピニオンに噛合させ、該ピニオンの回転によりカムスライダをさ
らにスライドさせ、カム機構を介してトラバースシャーシを下動させ、トレイを前進させ
るようにしたディスク装置において、前記カムラックの基端側歯部をピニオンに噛合させ
る際に発生する押圧力で該カムラックを弾性変位させる弾性変位機構がラック杆に設けら
れていることを特徴とするディスク装置。
【請求項２】
前記弾性変位機構が、ラック杆の先端部近傍からカムラックに沿って該ラック杆の中央
部まで延びる長孔からなることを特徴とする請求項１に記載のディスク装置。
【請求項３】
前記長孔と、該長孔からカムラックの基端側歯部に隣接してラック杆の外周面まで該ラ
ック杆を横切って延びる連通路とからなるＬ字状溝がラック杆に形成されていることを特
徴とする請求項２に記載のディスク装置。
【発明の詳細な説明】
【技術分野】
【０００１】
本発明は、ディスク装置（例えばＢｌｕ−ｒａｙ  Ｄｉｓｃ式のレコーダまたはプレー
ヤ）に関し、特に、トレイオープン動作を円滑確実に行なうことができるようしたもので
ある。
【背景技術】
【０００２】
従来、ディスク装置の一例として図２〜図７に示すものがあり、これはＢｌｕ−ｒａｙ
Ｄｉｓｃ式のレコーダ（またはプレーヤ）であって、図２は同ディスククランプ状態を
示す一部切欠き平面図、図３は同状態の縦断面図、図４（ａ）及び（ｂ）は同動力伝達手
順を示す拡大平面図、図５は同トレイオープン状態の平面図、図６は同要部の一例を示す
平面図、図７は同要部の他の例を示す平面図である。
【０００３】
図２及び図３に示すように、ディスクＤ載置用トレイ１を前後進ａ，ｂ可能に支持する
合成樹脂製ローダーシャーシ２が設けられ、ディスクＤの半径方向に沿って移動可能な対
物レンズＯＬ付き光ピックアップ３とターンテーブル４付きスピンドルモータ５とを搭載
した合成樹脂製トラバースシャーシ６の後部がゴムからなる左右一対の弾性体７を介して
ローダーシャーシ２に上下動ｃ，ｄ可能に連結され、該ローダーシャーシ２の前部にカム
スライダ８が前後進ａ，ｂ方向とは直交する左右方向ｅ，ｆに沿ってスライド可能に配置
され、該カムスライダ８に形成した一対のカム溝９ａと、トラバースシャーシ６の前面に
一体突設されてカム溝９ａに嵌入する一対のカムピン９ｂとからなるカム機構９が設けら
れている。
【０００４】
図４に示すように、光ピックアップ３に一体連結したメインラック１２Ａと、該メイン
ラック１２Ａに一定範囲内前後進ａ，ｂ可能に連結した状態でばね１３により後進ｂ側に
付勢されたサブラック１２Ｂとからなるダブルラック１２が設けられ、該ダブルラック１
２に駆動歯車１４が係脱可能に噛合されると共に、該駆動歯車１４を正逆回転ｇ，ｈさせ
るフィードモータ１５（図２参照）がトラバースシャーシ６に設けられている。
【０００５】
図４に示すように、前記サブラック１２Ｂの前端に突設した操作ピン１７に対向してカ
ムスライダ８の下面に左右一対のガイド片１８を一体突設することにより、その両ガイド
片１８間に斜め前方に向かって傾斜する操作溝１９が形成されており、その操作溝１９の
傾斜状内面１９ａを操作ピン１７で押すことにより、カムスライダ８が矢印ｆ方向にわず
かな移動量だけスライドされる〔図４（ａ）の仮想線及び図４（ｂ）参照〕。
【０００６】
図２及び図６に示すように、カムスライダ８の一端から矢印ｅ方向に延びるラック杆８
ａの先端部にカムラック２０が形成されると共に、トレイ１の下面に前後進ａ，ｂに沿っ
てトレイラック（図示せず）が一体形成され、そのカムラック２０及びトレイラック（図
示せず）に噛合可能なピニオン２１がローダーシャーシ２の前部に正逆回転ｉ，ｊ可能に
配置され、該ピニオン２１が歯車機構２２を介してフィードモータ１５に連動連結されて
いる。
【０００７】
図２に示すように、カムスライダ８の水平部に左右一対のガイドピン２４が一体突設さ
れると共に、該各ガイドピン２４に対向してトレイ１の下面に一対のガイド溝２５が形成
されており、該各ガイド溝２５の傾斜面２５ａとガイドピン２４との係合により、トレイ
１がわずかな移動量だけ前後進ａ，ｂされる。なお、図３中、２６はターンテーブル４と
でディスクＤをクランプするためのクランパである。
【０００８】
動作原理を説明すると、図２及び図３の実線はディスククランプ状態を示すものであっ
て、トラバースシャーシ６を上動ｃさせて水平姿勢とし、トレイ１上のディスクＤをター
ンテーブル４で持ち上げて、該ディスクＤをターンテーブル４とクランパ２６とでクラン
プしており、スピンドルモータ５によりターンテーブル４を介してディスクＤを高速回転
させ、フィードモータ１５により駆動歯車１４を正逆回転ｇ，ｈさせることにより、ダブ
ルラック１２を介して光ピックアップ３をディスクＤの半径方向に沿って移動させ（図４
参照）、該光ピックアップ３からディスクＤにレーザ光を投射し、その反射光に基づいて
ディスクＤに記録されている情報を読み取り、映像情報の再生や録画などをおこなう。
【０００９】
トレイオープン時には、図２に示す状態から、フィードモータ１５をタイマー制御して
駆動歯車１４を正転ｇさせることにより、ダブルラック１２を前進ａさせて光ピックアッ
プ３を最前進位置まで移動させ、図４（ａ）の仮想線及び図４（ｂ）に示すように、サブ
ラック１２Ｂをさらに前進ａさせて、操作ピン１７を操作溝１９の傾斜状内面１９ａに押
し付け、その押付力でカムスライダ８を矢印ｆ方向にわずかの移動量だけスライドさせて
カムラック２０の基端側歯部２０ａをピニオン２１に噛合させ、該ピニオン２１の正転ｉ
によりカムスライダ８を矢印ｆ方向にさらにスライドさせ、カム機構９を介してトラバー
スシャーシ６を下動ｄさせて傾斜姿勢にすることにより、ターンテーブル４からトレイ１
にディスクＤを移し替える（図３仮想線参照）。
【００１０】
続いて、ガイドピン２４によりガイド溝２５の傾斜面２５ａが押されてトレイ１をわず
かの移動量だけ前進ａさせることにより、トレイ１の下面のトレイラック（図示せず）の
前端がピニオン２１に噛合され、それとほぼ同時にカムラック２０がピニオン２１から離
間され、そのピニオン２１の正転ｉによりトレイラック（図示せず）を介してトレイ１を
前進ａさせ、トレイオープン状態にする（図３仮想線及び図５参照）。
【００１１】
トレイオープン状態で、トレイ１上からディスクＤを取り外したり、新たなディスクＤ
をトレイ１上に載置し、エジェクト釦を押すことにより、トレイインの操作が上記とは逆
の手順で行なわれる。なお、関連する技術として特許文献１に記載したものがある。
【先行技術文献】
【特許文献】
【００１２】
【特許文献１】特開２００６−７９７２６号公報
【発明の概要】
【発明が解決しようとする課題】
【００１３】
上記従来の構成では、トレイオープン時に、図４（ａ）の仮想線及び図４（ｂ）に示す
ように、ダブルラック１２のサブラック１２Ｂを前進ａさせて操作ピン１７を操作溝１９
の傾斜状内面１９ａに押し付けることにより、図６に示すように、カムスライダ８を矢印
ｆ方向にわずかな移動量だけスライドさせて、カムラック２０の基端側歯部２０ａを矢印
ｉ方向に回転するピニオン２１に噛合させるわけであるが、その噛合の際に、図６の拡大
図に示すように、カムラック２０の基端側歯部２０ａの歯先とピニオン２１の歯先とが互
いに突き合って干渉しあうことにより、ピニオン２１の回転もカムスライダ８のスライド
も停止するロック状態になることがあり、これでは、トレイ１をオープン状態にすること
ができない。
【００１４】
そこで、図７に示すように、基端側歯部２０ａのピニオン２１に対向する角部を切除し
て所定の曲率半径ｒの円弧面２７を形成し、その歯部２０ａの歯先とピニオン２１の歯先
とが互いに突き合って干渉しあわないようにして、ロック状態を解消することが考えられ
ている。
【００１５】
上記構成では、ダブルラック１２により操作ピン１７及び操作溝１９を介してカムスラ
イダ８を矢印ｆ方向にわずかの移動量だけスライドさせるものであるから、そのダブルラ
ック１２や操作ピン１７及び操作溝１９の寸法誤差などにより、カムスライダ８の矢印ｆ
方向への移動量が小さくなりやすく、その移動量が小さいときには、カムラック２０のピ
ニオン２１に対する押し付けが不充分になって、該カムラック２０の基端側歯部２０ａの
歯先とピニオン２１の歯先とが互いに噛合せず、該ピニオン２１が空回りして、トレイ１
をオープン状態にすることができない。
【００１６】
本発明は、上記従来の欠点に鑑み、トレイオープン動作を円滑確実に行なうことができ
るようしたディスク装置を提供することを目的としている。
【課題を解決するための手段】
【００１７】
上記目的を達成するため、請求項１に記載の発明は、ディスク載置用トレイを前後進可
能に支持するローダーシャーシが設けられ、ディスクの半径方向に沿って移動可能な光ピ
ックアップとターンテーブルとを搭載したトラバースシャーシの後部がローダーシャーシ
に上下動可能に連結されると共に、該トラバースシャーシの前部がカム機構を介してロー
ダーシャーシの前部に前後進方向とは直交する左右方向に沿ってスライド可能に配置した
カムスライダに連動連結され、光ピックアップの移動に連動して前後進される操作ピンを
有し、該操作ピンに対向してカムスライダの下面に操作溝が形成され、カムスライダの一
端から延びるラック杆の先端部にカムラックが形成され、該カムラックに噛合可能なピニ
オンがローダーシャーシの前部に正逆回転可能に配置されており、トレイオープン時に、
光ピックアップの移動に連動して前進する操作ピンを操作溝の傾斜状内面に押し付けて、
カムスライダをわずかの移動量だけスライドさせてカムラックの基端側歯部をピニオンに
噛合させ、該ピニオンの回転によりカムスライダをさらにスライドさせ、カム機構を介し
てトラバースシャーシを下動させ、トレイを前進させるようにしたディスク装置において
、前記カムラックの基端側歯部をピニオンに噛合させる際に発生する押圧力で該カムラッ
クを弾性変位させる弾性変位機構がラック杆に設けられていることを特徴としている。
【００１８】
請求項２に記載の発明は、請求項１に記載の発明において、前記弾性変位機構が、ラッ
ク杆の先端部近傍からカムラックに沿って該ラック杆の中央部まで延びる長孔からなるこ
とを特徴としている。
【００１９】
請求項３に記載の発明は、請求項２に記載の発明において、前記長孔と、該長孔からカ
ムラックの基端側歯部に隣接してラック杆の外周面まで該ラック杆を横切って延びる連通
路とからなるＬ字状溝がラック杆に形成されていることを特徴としている。
【発明の効果】
【００２０】
請求項１に記載の発明によれば、トレイオープン時、カムラックの基端側歯部をピニオ
ンに噛合させたときに、その噛合により発生する押圧力でカムラックを弾性変位させ、該
カムラックの基端側歯部が後退されるので、その基端側歯部とピニオンとの間でロック状
態が発生するのを防止することができる。
【００２１】
また、そのロック発生防止機能によって、前記基端側歯部のピニオンに対向する角部を
従来のように切除する必要がなくなり、カムラックのピニオンに対する押し付けが不充分
であっても、該カムラックの基端側歯部とピニオンとを確実に噛合させて、該ピニオンの
空回りを解消することができる。
【００２２】
要するに、ロック発生防止機能と、ピニオンの空回り解消とにより、トレイオープン動
作を円滑確実に行なうことができる。
【００２３】
請求項２に記載の発明によれば、ラック杆に長孔を形成するだけでよいから、構造が簡
単で部品点が増加せず、経済的である。
【００２４】
請求項３に記載した発明によれば、連通路を形成することにより、カムラックを一層容
易に弾性変位させて、ロック発生防止機能をさらに高めることができる。
【図面の簡単な説明】
【００２５】
【図１】（ａ）及び（ｂ）は本発明の実施の一形態であるディスク装置の要部の動作手順を示す平面図である。
【図２】従来例のディスククランプ状態を示す一部切欠き平面図である。
【図３】同状態の縦断面図である。
【図４】（ａ）及び（ｂ）は同動力伝達手順を示す拡大平面図である。
【図５】同トレイオープン状態の平面図である。
【図６】同要部の一例を示す平面図である。
【図７】同要部の他の例を示す平面図である。
【発明を実施するための形態】
【００２６】
図１の（ａ）及び（ｂ）は本発明の実施の一形態であるディスク装置（例えばＢｌｕ−
ｒａｙ  Ｄｉｓｃ式のレコーダまたはプレーヤ）の要部の動作手順を示すものであって、
ラック杆８ａの先端部近傍からカムラック２０に沿って該ラック杆８ａの中央部まで延び
る長孔（弾性変位機構）２９ａと、該長孔２９ａからカムラック２０の基端側歯部２０ａ
に隣接してラック杆８ａの外周面まで該ラック杆８ａを横切って延びる連通路２９ｂとか
らなるＬ字状溝２９がラック杆８ａに形成されており、そのＬ字溝２９によって、カムラ
ック２０が弾性変位可能に形成されている。上記以外の構成は図２〜図７に示す構成とほ
ぼ同じであるから、同一部分に同一符号を付してその説明を省略する。
【００２７】
動作原理を説明すると、トレイオープン時に、従来と同様の手順で操作ピン１７を操作
溝１９の傾斜状内面１９ａに押し付けることにより（図４参照）、図１（ａ）の実線で示
すように、カムスライダ８を矢印ｆ方向にわずかの移動量だけスライドさせてカムラック
２０の基端側歯部２０ａをピニオン２１に噛合させ、このとき、カムラック２０の基端側
歯部２０ａの歯先とピニオン２１の歯先とが互いに突き合って干渉しあう状態になった場
合には、図１（ａ）の仮想線に示すように、その噛合により発生する押圧力Ｐでカムラッ
ク２０が弾性変位され、基端側歯部２０ａが後退するので、ピニオン２１の回転もカムス
ライダ８のスライドも続行され、図１（ｂ）に示すように、カムラック２０の基端側歯部
２０ａをピニオン２１に確実に噛合させ、そのピニオン２１の矢印ｉ方向への回転により
カムスライダ８を矢印ｆ方向にさらにスライドさせて、トレイ１をオープン状態にする。
【００２８】
上記構成によれば、トレイオープン時、カムラック２０の基端側歯部２０ａをピニオン
２１に噛合させたときに、その噛合により発生する押圧力Ｐでカムラック２０を弾性変位
させ、該カムラック２０の基端側歯部２０ａが後退されるので〔図１（ａ）仮想線参照〕
、その基端側歯部２０ａとピニオン２１との間でロック状態が発生するのを防止すること
ができる。
【００２９】
また、そのロック発生防止機能によって、前記基端側歯部２０ａのピニオン２１に対向
する角部を従来のように切除する必要がなくなり（図７参照）、カムラック２０のピニオ
ン２１に対する押し付けが不充分であっても、該カムラック２０の基端側歯部２０ａとピ
ニオン２１とを確実に噛合させて、該ピニオン２１の空回りを解消することができる。
【００３０】
要するに、ロック発生防止機能と、ピニオン２１の空回り解消とにより、トレイオープ
ン動作を円滑確実に行なうことができる。
【００３１】
また、ラック杆８ａに長孔２９ａ及び連通路２９ｂからなるＬ字溝２９を形成するだけ
でよいから、構造が簡単で部品点が増加せず、経済的である。
【００３２】
更に、連通路２９ｂを形成することにより、カムラック２０を一層容易に弾性変位させ
て、ロック発生防止機能をさらに高めることができる。
【符号の説明】
【００３３】
１        トレイ
２        ローダーシャーシ
３        光ピックアップ
４        ターンテーブル
６        トラバースシャーシ
８        カムスライダ
１７      操作ピン
１９      操作溝
１９ａ    操作溝の傾斜状内面
２０      カムラック
２０ａ    カムラックの基端側歯部
２１      ピニオン
２９      Ｌ字溝
２９ａ    長孔（弾性変位機構）
２９ｂ    連通路
Ｄ        ディスク
【図１】
2010277631.tif 000003
【図２】
2010277631.tif 000004
【図３】
2010277631.tif 000005
【図４】
2010277631.tif 000006
【図５】
2010277631.tif 000007
【図６】
2010277631.tif 000008
【図７】
2010277631.tif 000009